(57)【特許請求の範囲】
【請求項１】
灰の受入位置で上を向き、非受入位置で下を向く灰受入口（１３）をもち、内方に灰溜（１４）を設けた球状物（１０）から成る灰皿本体（１）を対象物に開口した設置穴（７００）に設置する設置式灰皿であって、
前記灰皿本体（１）を灰の受入位置と非受入位置とに姿勢変更させる姿勢変更手段（３）と、
前記灰皿本体（１）を灰の受入位置と非受入位置とにそれぞれ係止させる係止手段（４）と、
前記灰皿本体（１）を前記係止手段（４）で係止させた係止位置と、前記姿勢変更手段（３）による姿勢変更を許す前記対象物からの進出位置とに進退させる進退手段（２）と、を備え、
前記係止手段（４）は、灰皿本体（１）の底と後端に設けた係止部（４１）と、前記設置穴（７００）の上下に形成し、前記係止部（４１）を受止めて灰皿本体（１）の動きを規制する受止部（４２）とを有し、
前記進退手段（２）は、前記灰皿本体（１）を両側から挟んで支持する一対のスライド体（２１，２２）と、このスライド体（２１，２２）の進退を案内し、前記設置穴（７００）の左右後方に伸びるスライドガイド（７０）とを含むことを特徴とする設置式灰皿。
【請求項２】
前記灰皿本体（１）は、半球状の第１部材（１１）と４分の１球状の第２部材（１２）とを突合わせて結合して成り、前記灰受入口（１３）を前記第１、第２部材（１１，１２）が介在しない４分の１球面開口部により形成するとともに、前記第１部材（１１）の底に第１の係止部（４１１）を、前記第２部材（１２）の後端に前記第１係止部（４１１）と直交する第２の係止部（４１２）を設けたことを特徴とする請求項１記載の設置式灰皿。
【請求項３】
前記係止手段（４）による灰皿本体（１）の係止状態を保持させるロック手段（６）を設け、
このロック手段（６）は、
前記灰皿本体（１）の姿勢変更に伴う移動領域に進退する移動阻止体（６０）を含み、この移動阻止体（６０）は、前記対象物に開口した小穴（７０１）から挿入する操作具により回動されるロック本体（６２）に一体化していることを特徴とする請求項１又は２記載の設置式灰皿。
【請求項４】
前記受止部（４２）は、前記設置穴（７００）の上下に形成された上部受止部（４２１）及び下部受止部（４２２）と、前記係止部（４１）を上面及び下面で受止める中央受止部（４２３）と、で構成されることを特徴とする請求項１〜３のいずれか１項に記載の設置式灰皿。
【請求項５】
前記灰皿本体（１）の前記灰受入口（１３）は、前記姿勢変更手段（３）によって、前方上方に向けて口を開いた灰の受入位置から、９０度前方回転して灰の非受入位置へと姿勢を変更することを特徴とする請求項１〜４のいずれか１項に記載の設置式灰皿。
【発明の詳細な説明】
【０００１】
【発明の属する技術分野】
本発明は、主に、パチンコ遊技機・アレンジボール遊技機・雀球遊技機・スロットマシン等の各種ゲーム機のフロント部分や、列車・バス・船舶・航空機等の各種乗物の座席部分や通路の壁部分、駅・病院・ホテル・ホール等の各種施設の通路や休憩室の壁部分などに設置する設置式灰皿に関する。
【０００２】
【従来の技術】
この種、移動式灰皿と対比され、ある対象物に設置する設置式灰皿は、溜まった灰を取出す清掃時を考慮し、灰の受入位置と、反転させた非受入位置とに姿勢変更できるようにしている。パチンコ遊技機を設置の対象物とした例を示すと、図１１に示すように、パチンコ球Ｐの下皿Ｄに隣接させて灰皿本体Ｂを配置し、該灰皿本体Ｂを支軸Ｒ回りに軸支することにより、灰皿本体Ｂを係止段部Ｓに係止させて灰受入口Ｔを上に向かせた灰の受入位置（実線）と、前方転回により係止段部Ｓでの係止を離脱させて灰受入口Ｔを下に向かせた非受入位置（想像線）とに姿勢変更自在にしている。こうして、清掃時は、灰受入口Ｔを下に向かせ、溜まった灰を回収箱等に落とせるようにしている。
【０００３】
【発明が解決しようとする課題】
しかし、以上のものは、灰皿本体Ｂを係止段部Ｓに係止させ、灰受入口Ｔを上に向かせた灰の受入位置が通常自然な使用状態であり、反転させた非受入位置は清掃のための一時的な状態でしかない。非受入位置では、灰皿本体Ｂは支軸Ｒ回りに前後にブラブラの状態となるからである。
【０００４】
ところで、昨今、嫌煙運動の波に圧され、パチンコホールの特定の遊技機列や、航空機等の特定の座席エリアは禁煙になっている。遊技機や座席を、喫煙用の灰皿のある仕様と、禁煙用の灰皿のない仕様との２種類を用意することも考えられるが、かえってコスト高になる。また、後で喫煙席・禁煙席の比率を変えたり、遊技機をチェーン店間等で入替えたりするのに対応しにくくなる。
【０００５】
このため、実際には、看板等によって、ある特定の遊技機列は禁煙、ある特定の座席番号までは禁煙といった方針を打ち出し、利用者の協力をあおぐ運用が行われることが多い。しかし、灰皿が設置されていて、自然な状態で灰受入口が上を向いて灰を受入れる態様となっているため、たとえ禁煙席であっても、愛煙家は、これを無視してタバコを吸う場合がある。禁煙席でタバコを吸われる行為ほど、嫌煙者にとって許し難い行為はなく、何かとトラブルの原因となっていた。また、禁煙席の灰受入口をガムテープ等で蓋をするといったことをすると、手間がかかる上、美感も害する。
【０００６】
本発明は、今まで自然の状態で灰を受入れる態様でしかなかったことを見直し、自然の状態で灰を受入れない態様を加えることにより、喫煙者及び禁煙者いずれにも満足のいく設置式灰皿を提供することを主目的とする。
【０００７】
【課題を解決するための手段】
請求項１記載の発明は、上記主目的を達成するとともに、灰皿本体１の係止状態での対象物からの飛出し量を少なくしつつ姿勢変更を容易にするため、図１〜５の例に示すように、灰の受入位置で上を向き、非受入位置で下を向く灰受入口１３をもち、内方に灰溜１４を設けた球状物１０から成る灰皿本体１を対象物に開口した設置穴７００に設置する設置式灰皿であって、前記灰皿本体１を灰の受入位置と非受入位置とに姿勢変更させる姿勢変更手段３と、前記灰皿本体１を灰の受入位置と非受入位置とにそれぞれ係止させる係止手段４と、前記灰皿本体１を前記係止手段４で係止させた係止位置と、前記姿勢変更手段３による姿勢変更を許す前記対象物からの進出位置とに進退させる進退手段２とを備え、前記係止手段４は、灰皿本体１の底と後端に設けた係止部４１と、前記設置穴７００の上下に形成し、前記係止部４１を受止めて灰皿本体１の動きを規制する受止部４２とを有し、前記進退手段２は、前記灰皿本体１を両側から挟んで支持する一対のスライド体２１，２２と、このスライド体２１，２２の進退を案内し、前記設置穴７００の左右後方に伸びるスライドガイド７０とを含むものにした。灰皿本体１を設置すべき対象物は、パチンコ遊技機等の各種ゲーム機のフロント部分や、列車等の各種乗物の座席部分や通路の壁部分、駅等の各種施設の通路や休憩室の壁部分等である。また、スライドガイド７０は、図示のようなガイドレール７１，７２の他、ガイド溝、ガイド穴、ガイドピン等で構成してもよい。
【０００８】
請求項２記載の発明は、２態様の姿勢のいずれにも美感を付与するため、図２，５に示すように、前記灰皿本体１は、半球状の第１部材１１と４分の１球状の第２部材１２とを突合わせて結合して成り、前記灰受入口１３を前記第１、第２部材１１，１２が介在しない４分の１球面開口部により形成するとともに、前記第１部材１１の底に第１の係止部４１１を、前記第２部材１２の後端に前記第１係止部４１１と直交する第２の係止部４１２を設けた。
【００１７】
請求項３記載の発明は、喫煙仕様と禁煙仕様との安易な変更を一層良好に防止するため、図６〜８に示すように、係止手段４による灰皿本体１の係止状態を保持させるロック手段６を設けた。すなわち、前記係止手段４による灰皿本体１の係止状態を保持させるロック手段６を設け、このロック手段６は、前記灰皿本体１の姿勢変更に伴う移動領域に進退する移動阻止体６０を含み、この移動阻止体６０は、前記対象物に開口した小穴７０１から挿入する操作具により回動されるロック本体６２に一体化していることとした。なお、移動阻止体６０は、回転により移動領域に進退するものの他、スライド等により進退するものでもよい。
【００１８】
請求項４記載の発明は、前記受止部４２は、前記設置穴７００の上下に形成された上部受止部４２１及び下部受止部４２２と、前記係止部４１を上面及び下面で受止める中央受止部４２３と、で構成されることとした。
【００１９】
請求項５記載の発明は、前記灰皿本体１の前記灰受入口１３は、前記姿勢変更手段３によって、前方上方に向けて口を開いた灰の受入位置から、９０度前方回転して灰の非受入位置へと姿勢を変更することとした。
【００２０】
【発明の作用効果】
本発明では、図２に示すように、灰皿本体１を係止手段４により灰の受入位置に係止させることにより、喫煙仕様となり、喫煙者の利用に供される。図３，４に示すように、灰皿本体１を姿勢変更手段３により姿勢変更させて、灰皿本体１を灰の非受入位置側に向けることにより、溜まった灰を清掃できる。図５に示すように、灰皿本体１を係止手段４により灰の非受入位置に係止させることにより、自然の状態で灰を受入れない態様を実現でき、禁煙者向けの仕様にできる。禁煙エリアにおいて、非受入位置に係止された灰皿本体１に接した喫煙者としても、自然の状態で灰が受け入れられない態様を敢えて変えてまで喫煙することにためらいを感じる。このため、禁煙を無視したマナーの悪い喫煙を少なくできる。
【００２１】
また、図２，５に示すように、灰皿本体１は球状物１０から成るため、灰の受入位置及び非受入位置双方において、全体に優しいイメージを与える等、２態様の静的姿勢のいずれにも美感が付与される。特に、灰の非受入位置では球面がより多く現れ、心地よいものとなる。
【００２２】
又、図３，４に示すように、進退手段２により灰皿本体１を進出させることにより、姿勢変更手段３による姿勢変更が許される。このように進出位置で灰皿本体１の姿勢変更が行えるため、灰皿を設置する対象物に妨げられることなく、その姿勢変更操作を容易にできる。図２，５に示すように、進退手段２により灰皿本体１を退かせ、灰皿本体１を係止手段４で係止させた係止位置では、灰皿本体１が対象物から大きく飛び出すことはなく、その飛出し量を小さくできる。
【００２３】
更に、図２，３に示すように、スライダー２０はスライドガイド７０に案内され、大きくブレることなく進退する。このため、灰皿本体１を円滑に進退させることができる。
【００２４】
そして、図２に示すように、灰皿本体１は、その一側と他側に変位する一対のスライド体２１，２２により両側から挟むようにサポートされる。このため、スライダー２０と灰皿本体１との連結部分等が灰皿本体１の内部容積を狭めてしてしまうのを少なくでき、灰皿本体１の内部容積を比較的大きく確保することができる。
【００２５】
又、図２，５に示すように、灰皿本体１に設けた係止部４１を受止部４２に受止めさせることにより、灰皿本体１を灰の受入位置又は非受入位置に簡易且つ確実に係止させることができる。
【００３３】
【発明の実施の形態】
図１の設置式灰皿Ａは、パチンコ遊技機本体１００のフロントパネル７の左下方に開口する設置穴７００に設置するものである。灰皿本体１は、半球状の第１部材１１と４分の１球状の第２部材１２とを突合わせて結合する球状物１０から成る。なお、球状物１０は、正確な球の他、ラグビーボールのような楕円球等をも含む概念である。第１、第２部材１１，１２が介在しない４分の１球面開口部は、灰受入口１３となる。内方には、灰を受入れる灰溜１４を確保している。１５は煙草を受ける切欠部である。第１部材１１の底には、係止手段４の構成要素となる略半円状の突出片から成る第１の係止部４１（４１１）を、また、第２部材１２の後端には、第１係止部４１１と直交する同様な形状の第２の係止部４１（４１２）を設けている。
【００３４】
第１、第２部材１１，１２の突合わせ面における直径方向左右には、各一対の半円断面溝３１１，３１１，３１２，３１２を設けており、突合わせ時、円形の受入穴３１，３１を形成している。そして、進退手段２となるスライダー２０の左右各スライド体２１，２２に設けるピン３２，３２を受入れ、灰皿本体１を水平軸回りに回動自在にしている。こうして、灰皿本体１側の受入穴３１及び進退手段２側のピン３２による回動機構３０により、灰皿本体１を姿勢変更させる姿勢変更手段３を構成している。
【００３５】
各スライド体２１，２２は、設置穴７００の左右後方に延びるスライドガイド７０に滑らせている。スライドガイド７０は、断面コ字形の左右一対のガイドレール７１，７２から成る。各スライド体２１，２２の後方は、プレート状ベース２３０、左右結合部２３１，２３２、中央受止部４２３をもつ連結体２３により互いに連結している。中央受止部４２３は、設置穴７００の上下に略半円状の囲み突起で形成する上部受止部４２１及び下部受止部４２２とともに、第１又は第２係止部４１１，４１２を受止め、係止手段４の他方側構成要素となる受止部４２を構成している。各スライド体２１，２２の前端には、ガイドレール７１，７２の端面に当接する当接体２４を設けている。なお、連結体２３は、プレート状部材、ロッド状部材、梁状部材等、何れの構成態様であってもよい。
【００３６】
６は、ロックベース６１、ロック本体６２をもつロック手段６であり、フロントパネル７に開口する小穴７０１からマイナスドライバー等の操作具を挿入してロック本体６２を反時計方向に９０度回し、ロック本体６２に一体化する移動阻止体６０を連結体２３のベース２３０の前方に進出させ、スライダー２０のスライド動作を禁止するようにしている。詳しくは後述する。
【００３７】
図２の通り、スライダー２０により灰皿本体１を退かせ、第１係止部４１１を下部受止部４２２に、第２係止部４１２を中央受止部４２３の上面にそれぞれ受止めさせることにより、灰皿本体１の回動が規制される。灰受入口１３が前方上方に向けて口を開いた灰の受入位置にあり、喫煙者向けの仕様になる。
【００３８】
図３の通り、灰皿本体１を手で前方に引出して進出位置にすると、灰皿本体１は前下がりの向きに回動できる。つまり前方転回が可能になる。逆の後方転回は阻止される。第２係止部４１２が中央受止部４２３の上面に当たるからである。よって、溜まった灰が設置穴７００から遊技機の内部に入るおそれもない。前方転回により、溜まった灰は前方下方で受ける回収箱に落とされ、清掃される。
【００３９】
図４の通り、灰皿本体１の前方回転は９０度で止る。第１係止部４１１が中央受止部４２３の下面に当たるからである。よって、前方転回の行き過ぎにより溜まった灰が設置穴７００から遊技機の内部に入るおそれもない。直交状に設けた第１及び第２係止部４１１，４１２と、中央受止部４２３の上面及び下面により、すなわち、係止手段４の構成部材の一部を用いて、灰受入口１３を、設置する対象物側に向けない規制手段３３を構成している。規制手段３３は、灰の落下軌跡と対象物とが干渉するのを極力避ける趣旨のものであり、このため、落下する灰と対象物との干渉を極力回避でき、対称物が灰で汚れるのを防止できる。又、規制手段３３と係止手段４の構成部材を共用させたため、規制手段３３の構成を簡易にすることができる。そして、第１係止部４１１と中央受止部４２３との衝突時の衝撃により、溜まった灰は良好に払い落とされる。
【００４０】
図５の通り、スライダー２０により灰皿本体１を退かせ、第２係止部４１２を上部受止部４２１に、第１係止部４１１を中央受止部４２３の下面にそれぞれ受止めさせることにより、灰皿本体１の回動が規制される。灰受入口１３が前方下方に向く灰の非受入位置にあり、禁煙者向けの仕様になる。また、第２部材１２の露出された球面には、禁煙マークから成る情報表示部５が設けてあり、灰の非受入位置でこれが現れる。
【００４１】
図６の通り、ホール係員等によりロック手段６の移動阻止体６０を想像線のように連結体２３の前方に位置させると、例えば禁煙仕様を固定的にロックできる。勿論、そのロックの解除もできる。また、禁煙仕様から喫煙仕様に変えるには、図５から図４、図３を経て図２に至る逆の操作をすればよいが、同様にロック手段６により、図２の喫煙仕様に固定的にロックすることもできる。
【００４２】
図６，７，８の通り、ロック手段６のロックベース６１は、遊技機本体１００の内部に螺子体６１０で取付ける一対の取付部６１１、外筒６１２、内筒６１３、中心ボス６１４を一体に具備する。外筒６１２は、移動阻止体６０の反時計方向の回転角規制部６１５、同時計方向の回転角規制部６１６を有する。内筒６１４は、互いに９０度変位した４つの爪嵌合部６１７を有する。また、外筒６１２及び内筒６１３には、移動阻止体６０を受入れる厚み分だけ高さを低くした低筒壁部６１８、６１９をもつ。
【００４３】
ロック本体６２は、移動阻止体６０並びに、円板部材６２１、ベース６１側の中心ボス６１４に套嵌する長尺筒体６２２、マイナスドライバ等の操作具を受入れる操作筒６２３、移動阻止体６０を補強する一対の補強部材６２４、爪嵌合部６１７と係合してクリック感を出しながら位置決めする１８０度変位した一対の爪体６２５を一体に具備する。
【００４４】
図９は、上記灰皿Ａを設置した封入球式のパチンコ遊技機であり、灰皿Ａの斬新さと同様、斬新なデザイン及び機能を盛り込んでいる。隣接する現金サンド２００の紙幣投入口２０１又は硬貨投入口２０２から現金を投入することにより遊技機設置設備側の島３００から所定個数の貸球が供給ノズル２０３、投入口１０６、投入通路１６４を経て受皿１０４に払い出される。尚、現金サンド２００に代え、プリペイドカード対応のＣＲサンドを用いてもよく、この場合、カードをサンドに挿入すると、遊技機本体１００の操作部１１０の第１表示部１１１にカードの残度数が表示され、貸出ボタン１２０を一回押すごとに所定個数の球が島３００から遊技機本体１００内の払出装置１０３、払出通路１３４を経て受皿１０４に払い出される。返却ボタン１３０を押すと、ＣＲサンドからカードが返却される。
【００４５】
操作部１１０の自動供給ボタン１５０又は手動供給ボタン１６０を押すと、受皿１０４の奥に設けるロータリー式の球排出装置１０５が作動し、受皿１０４の球が島３００に強制排出される。この排出する球数に等しい数だけクレジット度数が増加し、操作部１１０の第３表示部１１３に表示される。
【００４６】
遊技機本体１００内に封入した封入遊技球は総数２５個程度であるが、クレジット度数に応じたのべ個数の封入遊技球を継続して打ち出して遊技をすることができる。発射ハンドルＨの操作により発射ソレノイド１０１から球を打ち出し、フロントガラス１２０の内方に設ける遊技盤１０２に球を流下させる。そして、入賞球或はアウト球となった遊技球を再び発射ソレノイド１０１に循環させる。
【００４７】
図９中、１１２はエラー符号を表示する第２表示部、１４０はクレジット残に見合う数の球を受皿１０４に払い出す清算ボタン、１４０は受皿１０４の球を遊技者の手元側のドル箱に入れる押ボタン式の球抜操作具、１７０は遊技盤１０２の前部を覆う扉式のフロントカバー、１７１は枠上部飾りランプ、１７２は払出ランプ、１７３はトラブルランプ、１７４〜１７８は左右対称の各種演出用ランプ、１７９は演出用ステレオスピーカ、１８０は遊技機本体１００の固定枠である。
【００４８】
図１０に示すように、遊技盤１０２には、発射ソレノイド１０１から打ち出す封入遊技球を盤面に導くガイドレール２２０、液晶画面上に３列の数字・記号や各種演出用絵柄を可変表示させる可変図柄表示装置２２１、その可変表示を起動する始動入賞口２２２、同じく電動チューリップから成る補助始動入賞口２２３、可変図柄表示装置２２１上で数字等が３列全て揃う大当たりが発生した時に開放するアタッカ２２４、補助始動入賞口２２３を開成させる抽選を起動する左右ゲート２２５、上下左右の一般入賞口２２６、盤面サイドランプ２２７、６個の風車２２８、アウト口２２９を設けている。
【００４９】
図１０の可変図柄表示装置２２１は、１０インチの液晶大画面２１０をもち、透明樹脂板から成る遊技盤１０２の裏面から図柄を透かして見せるようにしている。図示は省略したが、遊技盤１０２上には、液晶大画面２１０の部分も含めて、多数の釘が打たれている。尚、アタッカ２２４への入賞球が１０個になるとアタッカ２２４は一旦閉じられるが、アタッカ２２４の最大開放時間３０秒のうち、開放当初の５秒間、開放後１５秒〜２０秒の５秒間に設定したＶ入賞タイミングに１球でも入賞があると、アタッカ２２４を最大１６回の繰り返しを限度に再開放させている。図１０中、２１１は封入球ユニットであり、発射ソレノイド１０１の他に、球送り装置２１２、球通路２１３、スクリュー式球昇降装置２１４等を具備している。
【００５０】
尚、以上の実施形態では、本発明灰皿を封入球式パチンコ遊技機に設置したが、上皿及び下皿をもち、上皿の遊技球を発射ソレノイドに導いて遊技盤に打ち出す通常のパチンコ遊技機に設置してもよい。また、パチンコ遊技機に限らず、アレンジボール遊技機、雀球遊技機等の他のゲーム機に設置してもよい。更に、この種ゲーム機に限らず、各種乗物の座席部分や通路の壁部分、各種施設の通路や休憩室の壁部分などに設置してもよい。
【図面の簡単な説明】
【図１】本発明灰皿の一実施形態を示す分解斜視図。
【図２】灰の受入位置での係止状態を示す斜視図。
【図３】進出位置での姿勢変更前を示す斜視図。
【図４】進出位置での姿勢変更後を示す斜視図。
【図５】灰の非受入位置での係止状態を示す斜視図。
【図６】ロック手段の斜視図。
【図７】同拡大正面図。
【図８】同拡大断面図。
【図９】本発明灰皿を設置したパチンコ遊技機の正面図。
【図１０】同遊技盤の正面図。
【図１１】従来の灰皿の斜視図。
【符号の説明】
１；灰皿本体、１０；球状物、１３；灰受入口、１４；灰溜
２；進退手段、２０；スライダー、２１，２２；スライド片、２３；連結体
３；姿勢変更手段、３０；回動機構、３３；規制手段
４；係止手段、４１；係止部、４２；受止部
５；情報表示部、
６；ロック手段、６０；移動阻止体、７０；スライドガイド
【図１】
0003766201.tif 000002
【図２】
0003766201.tif 000003
【図３】
0003766201.tif 000004
【図４】
0003766201.tif 000005
【図５】
0003766201.tif 000006
【図６】
0003766201.tif 000007
【図７】
0003766201.tif 000008
【図８】
0003766201.tif 000009
【図９】
0003766201.tif 000010
【図１０】
0003766201.tif 000011
【図１１】
0003766201.tif 000012